(57)【特許請求の範囲】
【請求項１】
インジケータを駆動させるための少なくとも１つの可動装置（２２、２３）と、
時計の通常動作中、第１の方向（Ｓ１）に駆動されるホイール（１）と、
前記可動装置（２２、２３）を作動させるための作動レバー（１６）と、
を含む、時計のためのカレンダー機構であって、
前記ホイール（１）により駆動され、前記作動レバー（１６）の運動を制御する第１及び第２のカム（２、３）をさらに含み、前記第１及び第２のカム（２、３）は、前記ホイール（１）の回転方向に応じて、その相対的な角位置が異なるように配置され、前記作動レバー（１６）の前記運動は、前記時計の通常動作中は、前記可動装置（２２、２３）を周期的に進ませ、前記時計の逆戻りの時間設定中は、前記可動装置（２２、２３）が進むのを許容せず、前記ホイール（１）を、前記第１の方向（Ｓ１）とは反対の第２の方向（Ｓ２）に回転させ、前記第２のカム（３）は、第２のレバー（１１）を介して、前記作動レバー（１６）を制御する、ことを特徴とするカレンダー機構。
【請求項２】
前記第１及び第２のカム（２、３）は前記ホイール（１）と同軸であることを特徴とする、請求項１に記載のカレンダー機構。
【請求項３】
前記ホイール（１）、前記第１のカム（２）、及び前記第２のカム（３）の間の接続部は、楕円形開口部（５）と、前記楕円形開口部（５）内に係合されたピン（４）とを含むことを特徴とする、請求項２に記載のカレンダー機構。
【請求項４】
前記楕円形開口部（５）は前記ホイール（１）内に設けられ、前記ピン（４）は前記第１のカム（２）により支持され、前記第２のカム（３）は前記ホイール（１）に固定的に取り付けられることを特徴とする、請求項３に記載のカレンダー機構。
【請求項５】
前記作動レバー（１６）のピボット（１７）は前記第２のレバー（１１）により支持されることを特徴とする、請求項１〜請求項４のいずれか１項に記載のカレンダー機構。
【請求項６】
前記第１のカム（２）は、第３のレバー（８）により前記作動レバー（１６）を制御することを特徴とする、請求項１〜請求項５のいずれか１項に記載のカレンダー機構。
【請求項７】
前記作動レバー（１６）と前記第３のレバー（８）との間の前記接続部は、楕円形開口部（１８）と、前記楕円形開口部（１８）内に係合されたピン（１９）とを含むことを特徴とする、請求項６に記載のカレンダー機構。
【請求項８】
前記楕円形開口部（１８）は前記作動レバー（１６）内に設けられ、前記ピン（１９）は前記第３のレバー（８）により支持されることを特徴とする、請求項７に記載のカレンダー機構。
【請求項９】
前記作動レバー（１６）は少なくとも１つのビーク（２０、２１）を含み、前記時計の通常動作中は、前記可動装置（２２、２３）を進ませるために、前記ビーク（２０、２１）が前記可動装置（２２、２３）の歯部内に周期的に係合するように、かつ、前記時計の逆戻りの時間設定中は、前記可動装置（２２、２３）の前記歯部内への前記ビークの係合が、前記可動装置の角位置に影響がないように構成されることを特徴とする、請求項１〜請求項８のいずれか１項に記載のカレンダー機構。
【請求項１０】
前記可動装置（２２、２３）の位置の訂正前に、前記ビーク（２０、２１）が前記可動装置（２２、２３）の前記歯部から自動的に離れるようにする装置（２８−３６、３９−４２）を含むことを特徴とする、請求項９に記載のカレンダー機構。
【請求項１１】
前記装置（２８−３６）は、巻真（２７）を所定の軸方向位置に移動させることにより作動させることができることを特徴とする、請求項１０に記載のカレンダー機構。
【請求項１２】
前記装置（２８−３６、３９−４２）は、前記第２のレバー（１１）を前記第２のカム（３）から離れるように移動させるための手段（３５、３６、４２）を含み、前記作動レバー（１６）の移動をもたらすこの離間運動により、前記ビーク（２０、２１）が前記可動装置（２２、２３）の前記歯部から離れるようにすることを特徴とする、請求項１から請求項５のいずれか１項に従属する場合の請求項１０又は請求項１１に記載のカレンダー機構。
【発明の詳細な説明】
【技術分野】
【０００１】
本発明は、時計のためのカレンダー機構に関する。
「カレンダー」は、特に、週及び／又は月の日付、及び／又は曜日を示すことを意味すると理解される。
より具体的には、本発明は、インジケータに固定的に取り付けられたスターのような、インジケータを駆動させるための可動装置が、カム制御式レバーにより作動されるカレンダー機構に関する。
【背景技術】
【０００２】
このタイプの機構において、カムは、２４時間毎に１回の回転速度で時計の輪列により駆動されるホイールに固定的に取り付けられている。カムは、通常、瞬間ジャンプ型のものであり、このために、レバーを作動可能にする働きをする、徐々に大きくなる半径を有する長い部分と、日付インジケータを駆動する可動装置を一段階進ませるように、レバーが午前零時にジャンプするのを可能にする負勾配を有する短い部分とを含む渦状カムの形態である。カムと協働するレバーのビーク（ｂｅａｋ）は負勾配を上がることができないため、このタイプのカムは、ホイールの逆方向の回転により午前零時を逆方向に通過することができない。このため、午前零時近くに時計の逆戻りの時間設定をすることができない。
【先行技術文献】
【特許文献】
【０００３】
【特許文献１】欧州特許出願第１７４６４７０号
【発明の概要】
【発明が解決しようとする課題】
【０００４】
このようなカムを、本出願人の欧州特許出願第１７４６４７０号に記載されるカムのような、負勾配部分がなく、ホイールに対して広範な角運動を有するカムと置き換えることが可能である。そのように変更されると、カレンダー機構は、午前零時近くを含む何時でも逆戻りの時間設定を可能にする。一方、レバーの運動は、カムの回転方向から独立しているので、午前零時に逆方向に通過するごとに、日付インジケータを進ませる。従って、ユーザには、日付インジケータは進むが、時間表示の針は後退することになり、これは、故障であると認識されるであろう。
【課題を解決するための手段】
【０００５】
本発明は、この欠点を克服することを意図し、このために、
インジケータを駆動させるための少なくとも１つの可動装置と、
時計の通常動作中、第１の方向において駆動されるホイールと、
可動装置を作動させるレバーと
を含む時計のためのカレンダー機構であって、
ホイールにより駆動され、作動レバーの運動を制御する第１及び第２のカムをさらに含み、第１及び第２のカムは、ホイールの回転方向に応じて、その相対的な角位置が異なるように配置されるので、作動レバーの運動は、時計の通常動作中は、可動装置を周期的に進ませ、時計の逆戻りの時間設定中は、可動装置が進むのを許容せず、ホイールを、第１の方向とは反対の第２の方向に回転させることにより特徴付けられるカレンダー機構を提案する。
【０００６】
第１及び第２のカムは、典型的には、ホイールと同軸である。
ホイール、第１のカム、及び第２のカムの間の接続部は、楕円形開口部と、該楕円形開口部内に係合されたピンとを含むことができる。１つの例示された実施形態において、楕円形開口部はホイール内に設けられ、ピンは第１のカムにより支持され、第２のカムはホイールに固定的に取り付けられる。
第２のカムは、第２のレバーを介して、作動レバーを制御する。この場合、作動レバーのピボットは第２のレバーにより支持される。
【０００７】
また、好ましい方法において、第１のカムは、第３のレバーにより作動レバーを制御する。作動レバーと第３のレバーとの間の接続部は、楕円形開口部と、楕円形開口部内に係合されたピンとを含むことができる。１つの例示された実施形態においては、楕円形開口部は作動レバー内に設けられ、ピンは第３のレバーにより支持される。
作動レバーは、典型的には、少なくとも１つのビーク（ｂｅａｋ）を含み、時計の通常動作中は、可動装置を進めるために、ビークが可動装置の歯部内に周期的に係合するように、かつ、時計の逆戻りの時間設定中は、可動装置の歯部内へのビークの係合が、可動装置の角位置に影響しないように配置される。
【０００８】
可動装置の位置の訂正前に、ビークが可動装置の歯部から自動的に離れるようにする装置を設けることができる。
１つの例示された実施形態においては、この装置は、巻真を所定の軸方向位置に移動させることにより作動させることができる。
この装置は、第２のレバーを第２のカムから離れるように移動させるための手段を含み、作動レバーの移動をもたらすこの離間運動により、ビークが可動装置の歯部から離れるようにすることが有利である。
【０００９】
本発明の他の特徴及び利点は、添付図面を参照して与えられる以下の詳細な説明を読むことにより、明らかになるであろう。
【図面の簡単な説明】
【００１０】
【図１】読み手がより良く識別できるように、３つのレバーが異なる線幅で示され、２つのカムが異なる線幅で示される、本発明の第１の実施形態によるカレンダー機構を示す。
【図２ａ】時計回り方向における２４時間の時間表示に対応する回転数による時計の時間インジケータの回転中の、第１の実施形態によるカレンダー機構の一連の状態を示す。
【図２ｂ】時計回り方向における２４時間の時間表示に対応する回転数による時計の時間インジケータの回転中の、第１の実施形態によるカレンダー機構の一連の状態を示す。
【図２ｃ】時計回り方向における２４時間の時間表示に対応する回転数による時計の時間インジケータの回転中の、第１の実施形態によるカレンダー機構の一連の状態を示す。
【図２ｄ】時計回り方向における２４時間の時間表示に対応する回転数による時計の時間インジケータの回転中の、第１の実施形態によるカレンダー機構の一連の状態を示す。
【図２ｅ】時計回り方向における２４時間の時間表示に対応する回転数による時計の時間インジケータの回転中の、第１の実施形態によるカレンダー機構の一連の状態を示す。
【図２ｆ】時計回り方向における２４時間の時間表示に対応する回転数による時計の時間インジケータの回転中の、第１の実施形態によるカレンダー機構の一連の状態を示す。
【図２ｇ】時計回り方向における２４時間の時間表示に対応する回転数による時計の時間インジケータの回転中の、第１の実施形態によるカレンダー機構の一連の状態を示す。
【図３ａ】反時計回り方向における２４時間の時間表示に対応する回転数による時計の時間インジケータの回転中の、第１の実施形態によるカレンダー機構の一連の状態を示す。
【図３ｂ】反時計回り方向における２４時間の時間表示に対応する回転数による時計の時間インジケータの回転中の、第１の実施形態によるカレンダー機構の一連の状態を示す。
【図３ｃ】反時計回り方向における２４時間の時間表示に対応する回転数による時計の時間インジケータの回転中の、第１の実施形態によるカレンダー機構の一連の状態を示す。
【図３ｄ】反時計回り方向における２４時間の時間表示に対応する回転数による時計の時間インジケータの回転中の、第１の実施形態によるカレンダー機構の一連の状態を示す。
【図３ｅ】反時計回り方向における２４時間の時間表示に対応する回転数による時計の時間インジケータの回転中の、第１の実施形態によるカレンダー機構の一連の状態を示す。
【図３ｆ】反時計回り方向における２４時間の時間表示に対応する回転数による時計の時間インジケータの回転中の、第１の実施形態によるカレンダー機構の一連の状態を示す。
【図３ｇ】反時計回り方向における２４時間の時間表示に対応する回転数による時計の時間インジケータの回転中の、第１の実施形態によるカレンダー機構の一連の状態を示す。
【図３ｈ】反時計回り方向における２４時間の時間表示に対応する回転数による時計の時間インジケータの回転中の、第１の実施形態によるカレンダー機構の一連の状態を示す。
【図４】本発明の第２の実施形態によるカレンダー機構を示す。
【図５ａ】時計回り方向における２４時間の時間表示に対応する回転数による時計の時間インジケータの回転中の、第２の実施形態によるカレンダー機構の一連の状態を示す。
【図５ｂ】時計回り方向における２４時間の時間表示に対応する回転数による時計の時間インジケータの回転中の、第２の実施形態によるカレンダー機構の一連の状態を示す。
【図５ｃ】時計回り方向における２４時間の時間表示に対応する回転数による時計の時間インジケータの回転中の、第２の実施形態によるカレンダー機構の一連の状態を示す。
【図５ｄ】時計回り方向における２４時間の時間表示に対応する回転数による時計の時間インジケータの回転中の、第２の実施形態によるカレンダー機構の一連の状態を示す。
【図５ｅ】時計回り方向における２４時間の時間表示に対応する回転数による時計の時間インジケータの回転中の、第２の実施形態によるカレンダー機構の一連の状態を示す。
【図５ｆ】時計回り方向における２４時間の時間表示に対応する回転数による時計の時間インジケータの回転中の、第２の実施形態によるカレンダー機構の一連の状態を示す。
【図５ｇ】時計回り方向における２４時間の時間表示に対応する回転数による時計の時間インジケータの回転中の、第２の実施形態によるカレンダー機構の一連の状態を示す。
【図５ｈ】時計回り方向における２４時間の時間表示に対応する回転数による時計の時間インジケータの回転中の、第２の実施形態によるカレンダー機構の一連の状態を示す。
【図６ａ】反時計回り方向における２４時間の時間表示に対応する回転数による時計の時間インジケータの回転中の、第２の実施形態によるカレンダー機構の一連の状態を示す。
【図６ｂ】反時計回り方向における２４時間の時間表示に対応する回転数による時計の時間インジケータの回転中の、第２の実施形態によるカレンダー機構の一連の状態を示す。
【図６ｃ】反時計回り方向における２４時間の時間表示に対応する回転数による時計の時間インジケータの回転中の、第２の実施形態によるカレンダー機構の一連の状態を示す。
【図６ｄ】反時計回り方向における２４時間の時間表示に対応する回転数による時計の時間インジケータの回転中の、第２の実施形態によるカレンダー機構の一連の状態を示す。
【図６ｅ】反時計回り方向における２４時間の時間表示に対応する回転数による時計の時間インジケータの回転中の、第２の実施形態によるカレンダー機構の一連の状態を示す。
【図６ｆ】反時計回り方向における２４時間の時間表示に対応する回転数による時計の時間インジケータの回転中の、第２の実施形態によるカレンダー機構の一連の状態を示す。
【図６ｇ】反時計回り方向における２４時間の時間表示に対応する回転数による時計の時間インジケータの回転中の、第２の実施形態によるカレンダー機構の一連の状態を示す。
【図７】本発明によるカレンダー機構に含まれる訂正装置の一部を示す。
【図８】訂正装置の別の部分を示す。
【図９】本発明によるカレンダー機構の月を表示する部分を示す。
【発明を実施するための形態】
【００１１】
図１を参照すると、腕時計のような時計のための、本発明の第１の実施形態によるカレンダー機構が、その通常の動作中、時計の輪列により通常の方法で駆動されるカレンダーホイール１を有する。従って、カレンダーホイール１は、矢印Ｓ１で示される方向に、２４時間ごとに１回の回転速度で回転する。時計の時間設定中、カレンダーホイール１は、時間設定歯車により一方向又は逆方向に駆動される。
２つのカム、すなわちカレンダーカム２及び分離カム３は、カレンダーホイール１と同軸である。カレンダーカム２内に駆動される偏心ピン４は、カレンダーホイール１における開口部５内に係合され、この開口部５は、円弧の形態であり、第１の端部６及び第２の端部７を含む。ピン４と開口部５は、カレンダーホイール１に対するカレンダーカム２の回転範囲を定める。分離カム３は、カレンダーホイール１に固定的に取り付けられる。カム２、３の各々は、下部２ｂ、３ｂと先端部２ｃ、３ｃとの間の、半径が増大するアーム部２ａ、３ａと、先端部２ｃ、３ｃと下部２ｂ、３ｂとの間の、より短いプランジ部（ｐｌｕｎｇｉｎｇ  ｐａｒｔ）２ｄ、３ｄとを有する。示される例においては、カレンダーカム２の下部２ｂは、窪みを定め、そのプランジ部２ｄは凸状であり、正勾配を有する。分離カム３のプランジ部３ｄは、実質的に直線状であり、正勾配を有する。
【００１２】
ピボット９の周りに取り付けられたカムレバー８が、ばね１０により、全時間の一部、カレンダーカム２に対して適用される。ピボット１２の周りに取り付けられた分離レバー１１が、ばね１３により、分離カム３に対して適用される。ピボット９、１２は、底部プレート又はブリッジのような、時計ムーブメントの固定部品上に取り付けられる。レバー８、１１とカム２、３との間の接触は、カム２、３上で転がる、レバー８、１１上にそれぞれ取り付けられたローラ１４、１５により行われることが好ましい。しかしながら、変形においては、レバー８、１１のビーク（先端、くちばし部、ｂｅａｋ）が、直接カム２、３と協働することができる。
カレンダーレバーすなわち「作動レバー」１６は、分離レバー１１により支持されるピボット１７の周りに取り付けられ、かつ、カムレバー８により支持されるピン１９を受けるＵ字形状の楕円形開口部１８を有する。このように、カレンダーレバー１６は、カムレバー８、従ってカレンダーカム２、並びに、分離レバー１１、従って分離カム３の両方によって制御される。カレンダーレバー１６は、日付スター２２及び曜日スター２３のそれぞれと協働するビーク（先端、くちばし部、ｂｅａｋ）２０、２１を有する。針又はディスクのようなインジケータは、スター２２、２３にそれぞれ固定的に取り付けられ、時計の文字盤における目盛り又は孔と協働して、ユーザに月の日及び週の曜日を示す。
【００１３】
図２（ａ）乃至図２（ｇ）は、カレンダーホイール１、及びこれと共に分離カム３が方向Ｓ１に回転する、時計の通常動作中、又は順方向すなわち時計の時間インジケータの時計回り方向への時間設定中の本発明の第１の実施形態によるカレンダー機構の異なる連続的な構成を示す。図２（ａ）は、図１と同様に、午前零時直後のカレンダー機構の構成を示し、カレンダーレバー１６は当接ピン２４に対して当接状態にあり、カレンダーレバー１６のビーク２０、２１はそれぞれスター２２、２３の歯部内にあり、カムレバー８は、ピン１９と協働するカレンダーレバー１６によりばね１０の作用に対抗して保持されているので、カレンダーカム２とは接触しておらず、分離レバー１１は、分離カム３の下部３ｂに対して適用され、ピン４は楕円形開口部５の両端部から、特に第１の端部６から離れるように移動される。この構成から、分離カム３のアーム部３ａと分離レバー１１との間の協働が、分離レバー１１をばね１３の作用に対抗して持ち上げ、これにより、ピボット１７が分離レバー１１により支持されたカレンダーレバー１６が持ち上げられる（図２（ｂ））。カレンダーレバー１６のビーク２０、２１は、このようにして、前述のスター２２、２３の角位置を変更することなく、スター２２、２３の歯部から離れ始める。カレンダーカム２は、楕円形開口部５の第１の端部６がピン４と接触し、カレンダーカム２がカレンダーホイール１及び分離カム３に対して固定されるまで動かないままである（図２（ｃ））。次いで、カムレバー８がカレンダーカム２のアーム部２ａと接触し、それによって持ち上げられ（図２（ｄ）及び図２（ｅ））、今やビーク２０、２１がスター２２、２３の歯部から完全に離れているカレンダーレバー１６は、スター２２、２３から離れるように移動し続ける。移動の開始から、カレンダーレバー１６は、当接ピン２４により案内され（図２（ａ）乃至図２（ｄ））、そこから離れるように移動する（図２（ｅ））。日付ホイール１の回転運動の終わり近く、すなわち午前零時直前に、分離レバー１１が、分離カム３の先端部３ｃから下部３ｂを通り（図２（ｆ））、これによりカレンダーレバー１６がスター２２、２３に向かって移動される。次いで、午前零時に、カムレバー８が、カレンダーカム２の先端部２ｃを通り、該カレンダーカム２をばね１０の作用の下で突然回転させ（ピン４と楕円形開口部５との間の協働により可能となる）、落下の際、カレンダーレバー１６を駆動し、そのビーク２０、２１をスター２２、２３の歯部に再び入れ、スター２２、２３を一段階回転させる（図２（ｇ））。図面を理解するためだけに、図２（ｇ）においては、スター２２、２３の位置が図２（ａ）乃至図２（ｆ）と比較して変化したことを示すために、スター２２、２３の各々の１つの歯２５、２６に印が付けられている。図２（ｇ）において、カム２、３及びレバー８、１１及び１６は、再び図２（ａ）の位置にある。
【００１４】
図３（ａ）乃至図３（ｈ）は、カレンダーホイール１、及びこれと共に分離カム３が方向Ｓ１とは反対の方向Ｓ２において回転する、逆戻り方向すなわち時間表示インジケータの反時計回り方向への時間設定中の本発明のこの第１の実施形態によるカレンダー機構の異なる連続的な構成を示す。図３（ａ）は、図１と同様に、午前零時直後のカレンダー機構の構成を示し、カレンダーレバー１６は当接ピン２４と当接し、カレンダーレバー１６のビーク２０、２１はそれぞれスター２２、２３の歯部内にあり、カムレバー８は、ピン１９と協働するカレンダーレバー１６によりばね１０の作用に対抗して保持されているので、カレンダーカム２とは接触しておらず、分離レバー１１は、分離カム３の下部３ｂに対して適用され、ピン４は楕円形開口部５の両端部から、特に第２の端部７から離れるように移動される。分離レバー１１は、プランジ部３ｄにより分離カム３の下部３ｂから先端部３ｃまで持ち上げられ（図３（ｂ））、これにより、カレンダーレバー１６のビーク２０、２１は、スター２２、２３の角位置を変更することなく、スター２２、２３の歯部を離れ、次いで、分離カム３の部分３ａに沿って下降し始める。カレンダーカム２は、楕円形開口部５の第２の端部７がピン４と接触し、これによってカレンダーカム２がカレンダーホイール１に対して固定されるまで動かないままである（図３（ｃ））。次いで、カムレバー８が、カレンダーカム２のプランジ部２ｄと接触し、それによって持ち上げられる（図３（ｄ）及び図３（ｅ））。移動の開始から、カレンダーレバー１６は、当接ピン２４により案内され（図３（ａ）乃至図３（ｄ））、そこから離れるように移動する（図３（ｅ））。カムレバー８がカレンダーカム２の先端部２ｃに到達したとき（図３ｅ）、カレンダーレバー６は、スター２２、２３から依然としてさらに離れている。従って、カムレバー８は、カム２の部分２ａ上に当接することにより、カレンダーカム２を方向Ｓ２に迅速に回転させる（図３（ｆ））。この動きは、ピン１９とＵ字形の楕円形開口部１８との間の協働により、カレンダーレバー１６をスター２２、２３に向かって移動させる。カムレバー８及び分離レバー１１は、カムレバー８がカレンダーカム２と接触せず、分離レバー１１が分離カム３の下部３ｂ上にある（図３（ｈ））、図３（ａ）に関して説明される位置に配置されるまで、それぞれカレンダーカム２及び分離カム３に沿って下降を続ける（図３（ｇ））。カレンダーレバー１６のビーク２０、２１は、スター２２、２３を駆動させることなく、スター２２、２３のそれぞれの歯部に再び入る、すなわちスター２２、２３の角位置を変更することなく、図３（ａ）におけるそれらの位置に戻る。
【００１５】
従って、午前零時から午前零時までの２４時間周期毎に、時計の通常動作中、又は順方向における時間設定中、カレンダーレバー１６は、スター２２、２３の角位置を変更することなく、そのビーク２０、２１がスター２２、２３の歯部から離れるようにする外向き運動を行い、次いで、そのビーク２０、２１がスター２２、２３の歯部に再び入り、これらのスターを一段階進ませる戻り運動を行う。しかしながら逆方向における、午前零時から午前零時までの２４時間周期ごとに、逆戻り方向の時間設定中は、カレンダーレバー１６は、スター２２、２３の角位置を変更することなく、そのビーク２０、２１がスター２２、２３の歯部から離れるようにする外向き運動を行い、次いで、スター２２、２３の角位置を変更することなく、従って、カレンダーの表示にどのような変化ももたらさずに、そのビーク２０、２１がスター２２、２３の歯部に再び入るようにする戻り運動を行う。
このように、本発明は、午前零時を逆方向に通過し、カレンダーの表示インジケータを進ませることなく、ユーザが、いつでも時計を逆戻り設定するのを可能にする。このことは、楕円形開口部５により、２つのカム２、３が、カレンダーホイール１の回転方向に応じて異なる相対的な角位置を有し（図２（ｃ）と比較して図３（ｃ）を参照されたい）、かつ、結果的に、カレンダーレバー１６の運動が、カレンダーホイール１の回転方向に応じて異なるという事実により可能となる。カレンダーレバー１６のビーク２０、２１が辿る軌道のために、これらはピボット運動する必要はなく、図示のように剛性とし得ることも留意される。剛性のビークを有する利点は、それらのビークにより、日付の変更時に、慣性の影響下でスター２２、２３が一段階より多く進むのが防止されることである。
【００１６】
図４は、本発明の第２の実施形態によるカレンダー機構を示す。この第２の実施形態によるカレンダー機構は、カムレバー８が省かれ、符号１６’で示されるカレンダーレバーが、カムレバー８の代わりにカレンダーカム２’と協働し、このために、ローラ１４’又はビークを有し、戻しばね１０’の作用を直接受ける点で、第１の実施形態とは異なる。図４には示されていないが、戻しばねは、分離レバー１１’に作用することもできる。カレンダーカム２’、分離カム３’カレンダーレバー１６’、及びカレンダーレバー１６’のピボットを支持し、分離カム３’と協働する分離レバー１１’のそれぞれの形状は、第１の実施形態と比較するとわずかに変更されている。機構の他の部品は変更されていない。
図２に関連して説明される運動と同じ原理により、午前零時から午前零時までの２４時間周期ごとに、時計の通常動作中又は順方向の時間設定中、分離レバー１１’により支持され、当接ピン２４により特定の瞬間において案内されるカレンダーレバー１６’は、スター２２、２３の角位置を変更することなく、ビーク２０’、２１’をスター２２、２３の歯部から離れさせる外向き運動を行い、次いで、そのビーク２０’、２１’をスター２２、２３の歯部に再び入れ、これらスターを一段階進ませる戻り運動を行う。図５（ａ）乃至図５（ｈ）は、この運動中のカレンダー機構の異なる連続的な構成を示す。
図３に関連して説明された運動と同じ原理により、逆方向における、午前零時から午前零時までの２４時間周期ごとに、逆戻りの時間設定中、カレンダーレバー１６’は、スター２２、２３の角位置を変更することなく、そのビーク２０’、２１’がスター２２、２３の歯部から離れるようにする外向き運動を行い、次いで、スター２２、２３の角位置を変更することなく、従って、カレンダーの表示に変化をもたらさずに、ビーク２０’、２１’がスター２２、２３の歯部に再び入るようにする戻り運動を行う。図６（ａ）乃至図６（ｇ）は、この運動中のカレンダー機構の異なる連続的な構成を示す。
【００１７】
第２の実施形態によるカレンダー機構は、第１の実施形態によるものより少ない部品を有するという利点を有する。一方、第１の実施形態は、多数の点において有利である。すなわち：
−第１の実施形態は、レバーの戻しばね間の均衡をより容易に制御することを可能にする。
−第１の実施形態は、カレンダーレバーに対して戻しばねを用いることを回避し、カレンダーレバーに当接する戻しばねは、このレバーの運動からなる並進成分による摩擦をもたらす。
−第１の実施形態は、より小さいカレンダーカムの使用を可能にする。
第１又は第２の実施形態による上述のカレンダー機構においては、カレンダーレバー１６のビーク２０、２１がスター２２、２３の歯部内に係合すると、これらのビーク２０、２１がスター２２、２３の回転をブロックするため、時間表示とは独立した日付又は曜日の訂正が阻止される。この問題を克服するために、本発明による機構は、図７及び図８に示される訂正装置を有する。
【００１８】
訂正装置は、図７に示されるように、３つの軸方向位置、すなわち、巻き位置（押し込み位置）、日付を訂正するための位置（中間位置）及び時間設定位置（引き出し位置）を採用することができる時計の巻真２７を有する。オシドリ（ｐｕｌｌ−ｏｕｔ  ｐｉｅｃｅ）２８は、巻真２７と協働して、通常の方法で、キチ車・ツヅミ車（ｗｉｎｄｉｎｇ  ｓｌｉｄｉｎｇ  ｐｉｎｉｏｎ）（図示せず）を制御する。本発明において、オシドリ２８はまた、オシドリ２８に固定的に取り付けられ、かつ、レバー２９の角度を付けて曲げられた楕円形開口部３１内に係合するピン３０によりレバー２９を制御する。レバー２９は、地点３２においてピボット運動する。連接棒３３は、その端部の一方はレバー２９に、かつ、その他方の端部は第２のレバー３５の第１の端部３４に関節接続される。レバー３５は、カレンダーホイール１及びカム２、３の共通の回転軸の周りをピボット運動し、第１の端部３４に対して前述の軸の他方の側に配置された第２の端部３６を有する。巻真２７が巻き位置又は時間設定位置にあるとき、レバー２９、３５及び連接棒３３は、図７に実線で示される位置にあり、この場合、レバー３５は分離レバー１１に作用せず、分離カム３に押し当たって当接したままである。巻真２７が日付を訂正するための位置にあるとき、レバー２９、３５及び連接棒３３は、点線で示される位置にあり、この場合、分離レバー１１は、該分離レバー１１により支持されるピン１１ａ上のレバー３５の第２の端部３６の作用により、分離カム３から持ち上げられ、離される。この位置において、カレンダーレバー１６のビーク２０、２１は、スター２２、２３の歯部の外にあり、巻真２７を回転させて、歯車列（図示せず）により日付スター２２を回転させることができる。巻真２７が巻き位置又は時間設定位置にあるとき、レバー２９、３５及び連接棒３３が同じ位置を有するという事実は、楕円形開口部３１の角度を付けて曲げられた形状により可能となる。巻真２７の日付を訂正するための位置において、ピン３０は、開口部３１の角部内に配置される。日付を訂正するための位置と巻き位置との間では、ピン３０は、角部から開口部の第１の端部まで延びる開口部３１の部分３７と協働する。日付を訂正するための位置と時間設定位置との間では、ピン３０は、角部から開口部の第２の端部まで延びる開口部３１の他方の部分３８と協働する。
【００１９】
訂正装置の別の部分が、図８に示される。この部分は、曜日の訂正に関連する。押しボタン（図示せず）により作動されるレバー形態であり、地点４０でピボット運動する曜日訂正器３９は、訂正器３９が作動する度に曜日スター２３を一段階だけ移動させるビーク４１を有する。訂正器３９は、戻しばね（図示せず）の作用を受ける。訂正器は、訂正器３９が作動する度に、分離レバー１１を持ち上げるピン４２を支持する。分離レバー１１が持ち上げられることにより、カレンダーレバー１６が、スター２２、２３から離れるように移動し、特に、訂正器３９のビーク４１が前述の歯部内に係合する前に、ビーク２１が曜日スター２３の歯部から出ていく。
本発明によるカレンダー機構はまた、月インジケータを有することもできる。図９は、１２の月の表示を有するディスク４３の形態のインジケータの例を示す。このインジケータ４３は、それ自体は日付スター２２により支持される格納式フィンガ４６により駆動される歯車列４５により駆動される月ピニオン４４に固定的に取り付けられる。フィンガ４６は、日付が３１日から１日に進んだときに、月ピニオン４４が一段階だけ駆動されるように配置される。フィンガ４６が歯車列４５の歯部内に係合されている間、図示されない機構により月表示の訂正が行われた場合には、フィンガ４６を格納して、月ピニオン４４のどのようなブロックも防止する。月表示の訂正を可能にする機構は、例えば、レバーにより巻真に接続された歯車列であり、そのため、巻真が日付を訂正するための軸方向位置に配置されたとき、所定の方向における巻真の回転は、月ピニオン４４の角位置を訂正し、逆方向における巻真の回転は、前述のレバー及び日付を訂正するための歯車列により、日付スター２２の角位置を訂正する。
【符号の説明】
【００２０】
１：カレンダーホイール
２、２’：カレンダーカム
２ａ、３ａ：アーム部
２ｂ、３ｂ：下部
２ｃ、３ｃ：先端部
２ｄ、３ｄ：プランジ部
３、３’：分離カム
４、１１ａ、１９、３０、４２：ピン
５、１８、３１:楕円形開口部
６：第１の端部
７：第２の端部
８：カムレバー
９、１２、１７：ピボット
１０、１０’１３：ばね
１１、１１’：分離レバー
１４、１４’、１５：ローラ
１６、１６’：カレンダーレバー
２０、２０’、２１、２１’、４１：ビーク
２２：日付スター
２３：曜日スター
２４：当接ピン
２７：巻真
２８：オシドリ
２９：レバー
３３：連接棒
３４：第２のレバーの第１の端部
３５：第２のレバー
３６：第２のレバーの第２の端部
３７、３８：部分
３９：曜日訂正器
４３：インジケータ
４４：月ピニオン
４５：歯車列
４６：格納式フィンガ
【図１】
0006029893.tif 000002
【図２ａ】
0006029893.tif 000003
【図２ｂ】
0006029893.tif 000004
【図２ｃ】
0006029893.tif 000005
【図２ｄ】
0006029893.tif 000006
【図２ｅ】
0006029893.tif 000007
【図２ｆ】
0006029893.tif 000008
【図２ｇ】
0006029893.tif 000009
【図３ａ】
0006029893.tif 000010
【図３ｂ】
0006029893.tif 000011
【図３ｃ】
0006029893.tif 000012
【図３ｄ】
0006029893.tif 000013
【図３ｅ】
0006029893.tif 000014
【図３ｆ】
0006029893.tif 000015
【図３ｇ】
0006029893.tif 000016
【図３ｈ】
0006029893.tif 000017
【図４】
0006029893.tif 000018
【図５ａ】
0006029893.tif 000019
【図５ｂ】
0006029893.tif 000020
【図５ｃ】
0006029893.tif 000021
【図５ｄ】
0006029893.tif 000022
【図５ｅ】
0006029893.tif 000023
【図５ｆ】
0006029893.tif 000024
【図５ｇ】
0006029893.tif 000025
【図５ｈ】
0006029893.tif 000026
【図６ａ】
0006029893.tif 000027
【図６ｂ】
0006029893.tif 000028
【図６ｃ】
0006029893.tif 000029
【図６ｄ】
0006029893.tif 000030
【図６ｅ】
0006029893.tif 000031
【図６ｆ】
0006029893.tif 000032
【図６ｇ】
0006029893.tif 000033
【図７】
0006029893.tif 000034
【図８】
0006029893.tif 000035
【図９】
0006029893.tif 000036